(57)【特許請求の範囲】
【請求項１】
所要部位が透視可能に形成された中空のケース内に往復杆を軸方向に往復運動可能に挿入し、且つ該往復杆が常に一方向に付勢されるようにケースと往復杆との間に弾性体を介在させると共に、該弾性体の弾性力に対抗する方向に往復杆を押圧可能に設け、該往復杆に中空の回転軸を往復杆回りに回転可能に遊嵌すると共に、前記往復杆の往復運動に従って回転軸が往復運動し得るように構成し、該回転軸に具象体を取り付け、回転軸の往復運動に伴ない回転軸自体が回転し得るように回転軸とケースとの間にギヤ機構を取り付けると共に、当該ギヤ機構は、前記回転軸が所定距離だけ移動すると噛合が解除されるように構成し、この解除位置で前記具象体が、前記ケースの透視可能に形成された部位に位置するように設定されて成る、具象体が回転する玩具。
【請求項２】
前記回転軸に弾み車が設けられていることを特徴とする請求項１の具象体が回転する玩具。
【請求項３】
前記ケースに筆記具の芯部が設けられていることを特徴とする請求項１の具象体が回転する玩具。
【請求項４】
前記往復杆が筆記具の芯部であり、芯部の筆記先端がケース外に突出し得るように設けられていると共に、往復杆を押圧した時に筆記先端がケース外に突出した状態を固定出来且つこの状態を開放し得る機構を設けたことを特徴とする、請求項１の具象体が回転する玩具。
【請求項５】
前記ギヤ機構が、回転軸に設けられたウォームギヤとケースに設けられ前記ウォームギヤに噛合する部位との組であることを特徴とする請求項１の具象体が回転する玩具。
【発明の詳細な説明】
【０００１】
【発明の属する技術分野】
本発明は、軸方向の運動を軸回りの回転運動に変換させることによって、回転軸に設けた具象体を回転させて遊ぶことが出来る玩具に関するものである。
【０００２】
【関連する技術】
独楽に代表される回転運動を行なう玩具は、回転体の軸に回転力を与えることにより回転体を回して遊ぶものである。軸には、指などを用いた手動で回転力を与える場合と、モータなどの動力を用いて回転力を与える場合とがある。
【０００３】
上記回転体は、回転中に手を触れると、その摩擦力や制動力により回転運動を阻害される性質のものである。
【０００４】
【発明が解決しようとする課題】
ところで回転体の軸に指などを用いた手動で回転力を与えるという動作はそれ程簡単なものではない。特に小さい子供ではこのひねり方を習得するのに時間が掛かる。そこで恰かもノック式ボールペンを押すような動作で即ち軸方向の運動を行なわせることで、この力を軸回りの回転運動に変換させて回転体を回すことが出来れば、これは極めて楽なものと成る。
【０００５】
本発明は、上述したような問題を解決し、軸方向の運動を軸回りの回転運動に変換させて、軸に設けた具象体を回転させて遊ぶことが出来る玩具の提供を課題とする。
【０００６】
【課題を解決するための手段】
上記課題は、所要部位が透視可能に形成された中空のケース内に往復杆を軸方向に往復運動可能に挿入し、且つ該往復杆が常に一方向に付勢されるようにケースと往復杆との間に弾性体を介在させると共に、該弾性体の弾性力に対抗する方向に往復杆を押圧可能に設け、該往復杆に中空の回転軸を往復杆回りに回転可能に遊嵌すると共に、前記往復杆の往復運動に従って回転軸が往復運動し得るように構成し、該回転軸に具象体を取り付け、回転軸の往復運動に伴ない回転軸自体が回転し得るように回転軸とケースとの間にギヤ機構を取り付けると共に、当該ギヤ機構は、前記回転軸が所定距離だけ移動すると噛合が解除されるように構成し、この解除位置で前記具象体が、前記ケースの透視可能に形成された部位に位置するように設定されて成る、具象体が回転する玩具とすることにより達成されるものである。
【０００７】
また請求項２の発明は、請求項１に於いて前記回転軸に弾み車が設けられていることを特徴とするものとした。
【０００８】
また請求項３の発明は、請求項１に於いて前記ケースに筆記具の芯部が設けられていることを特徴とするものとした。
【０００９】
また請求項４の発明は、請求項１に於いて前記往復杆が筆記具の芯部であり、芯部の筆記先端がケース外に突出し得るように設けられていると共に、往復杆を押圧した時に、該筆記先端がケース外に突出した状態を固定出来且つこの状態を開放し得る機構を設けたことを特徴とするものとした。
【００１０】
また請求項５の発明は、請求項１に於いて前記ギヤ機構が、回転軸に設けられたウォームギヤとケースに設けられ前記ウォームギヤに噛合する部位との組であることを特徴とするものとした。
【００１１】
【作用】
請求項１に付いて、往復杆の一端を押圧すると中空のケース内では往復杆が軸方向に移動するが、往復杆はこれとは逆の方向へ弾性体により付勢されているため、往復杆の一端を押圧したり押圧を止めたりすることにより、往復杆はケース内で往復運動可能である。この往復杆の回りに回転軸が遊嵌されており、回転軸は往復杆と共にケース内を往復運動可能である。一方回転軸とケースとの間にはギヤ機構が取り付けられており、このギヤ機構は回転軸の往復運動に伴ない回転軸自体を回転させるが、ギヤ機構は回転軸が所定距離だけ移動すると噛合が解除されるように構成されている。これ等によって、往復杆の一端を押圧すると回転軸が回転し、而も前記噛合が解除された後は回転軸がフリーに成りこれまでの惰性で回転を続ける。この結果回転軸に取り付けられた具象体が慣性回転し、少なくともこの時の具象体の回転運動を、前記ケースの透視可能に形成された部位から見ることが出来るのである。上記回転運動は、傾向として往復杆の一端を強く押圧するほど速く回転するものである。
【００１２】
こうして回転軸を指でひねって回転力を与えるなどという難しい動作を行なう必要がなく、回転軸を押すという単純で楽な動作で、回転軸をその軸方向に移動させ、これを軸回りの回転運動に変換させて具象体を回して遊ぶことが出来るように成った。即ち具象体の軸方向の回転しつつの移動と、その後の慣性回転運動が楽しめる。後半の回転運動は惰性（慣性）で行なわれるからいずれ回転運動の勢いは衰えるが、回転軸を押す手を離すと弾性体の反発力により回転軸が往復杆共々先とは逆の軸方向に移動し始め、初期位置に戻るので、再度回転軸を押せば繰り返して遊ぶことが出来る。
【００１３】
尚、ケースが所要部位のみ透視可能に形成されているという場合、ケース全体が透視可能であっても、一部のみ透視可能であってもよい。透視可能という場合には、ケースの材料が透明の場合もあれば、不透明なケースに窓を開口する場合もある。更にこの透視可能な部位に付いて、具象体が惰性で回転する部位のみを透視可能とすれば、回転軸を押すまでは具象体を見ることが出来ず、回転軸を押して前記噛合が解除された後、具象体が惰性で回転する部位まで移動した時点で初めて具象体の回転が見られるという面白さがある。勿論具象体の運動の全行程で具象体が見られるように透視可能な部位を形成することも出来る。
【００１４】
次に請求項２に付いて、前記回転軸に弾み車が設けられているため、ギヤ機構によって回転軸の移動に伴ない回転軸が回転するが、この勢いが弾み車に蓄えられる。而して前記噛合が解除された後に回転軸がフリーに成りこれまでの惰性で回転を続ける際に、弾み車に蓄えられたエネルギーが具象体の回転を長く持続させる作用がある。
【００１５】
尚、弾み車は回転軸に重い素材を用いることでも実現可能であるが、具象体そのものを弾み車としたり、これ等とは別体の専用の弾み車を回転軸に取り付ける構成もまた可能である。
【００１６】
次に、本発明のケースはその形状がどのようなものであってもよいが、請求項３ではケースに筆記具の芯部を設けているので、筆記具としての利用が可能であり、このためケースを細長い筒状に形成することが好ましい。しかしながらこの時のケース形状は筆記具の軸形状でなくてはならないというものでもない。
【００１７】
次に請求項４に付いて、前記往復杆そのものが筆記具の芯部と成っており、該芯部の筆記先端がケース外に突出し得るように設けられているため、芯部の末端を押圧すると、中空のケース内部では芯部が軸方向に移動し、芯部の筆記先端がケース外に突出して筆記可能に成る。この際、芯部の回りに回転軸が遊嵌されており、回転軸は芯部と共にケース内を往復運動可能であり、回転軸とケースとの間にはギヤ機構が取り付けられており、やはり回転軸が所定距離だけ移動すると噛合が解除されるように構成されているため、回転軸に取り付けられた具象体が惰性で回転する。またこの際、往復杆であるところの芯部を押圧した時に、芯部の筆記先端がケース外に突出した状態を固定出来且つこの状態を開放し得る機構が有効に働き、本玩具は筆記具としての利用が可能と成っている。
【００１８】
尚、筆記具にはボールペンやシャープペンその他が適用される。更に芯部だけから成る筆記具にも適用可能である。往復杆を押圧した時に、往復杆を固定出来且つこの状態を開放し得る機構は、筆記具としての用途のない例に対しても適用可能である。
【００１９】
次に請求項５に付いて、前記ギヤ機構が、回転軸に設けられたウォームギヤとケースに設けられ前記ウォームギヤに噛合する部位との組であるため、回転軸に設けられたウォームギヤが回転軸と共に往復運動すると、ケースに設けられている部位と噛合しているため、結果的にウォームギヤ側即ち回転軸側が回転させられることに成る。この際、ウォームギヤが所定距離だけ移動すると、ケース側のウォームギヤに噛合する部位との噛合が解除されるように構成されている。
【００２０】
ウォームギヤをこれと噛合する部位とにより回転させるギヤ機構は、軸方向の運動を軸回りの回転運動に変換させるにはとても効率のよいものでありまたシンプルなものでもある。ウォームギヤに噛合する部位とは、ケースに設ける山や谷や螺旋の一部分のことである。尚、ウォームギヤをケース側に、該ウォームギヤに噛合する部位を回転軸側に設ける構成も可能である。また軸方向の運動を軸回りの回転運動に変換させる手段としては、ギヤ機構以外にも回転軸に捲き付けたゴムや配列を工夫した磁石等が利用可能である。
【００２１】
【実施例】
以下、本発明の実施例の幾つかを図面に基づいて説明するが、本発明はこれ等の実施例に限定されるものではない。
【００２２】
本発明の第１実施例を図１乃至図４を用いて説明する。本実施例は、吊鐘形のケース１の頂部にある押圧用ボール２１を叩くように押すことで、土星の模型５を回転させて遊ぶ玩具である。
【００２３】
全体に透視可能に形成された中空のケース１内に往復杆２を軸方向に往復運動可能に挿入する。往復杆２の下端部はストッパー２０に圧入され、上端部は頂部に押圧用ボール２１を具えたストッパー２２に圧入されている。また該往復杆２が常に図１の上方向に付勢されるように、ケース１の底部１２と前記ストッパー２０との間に弾性体であるゴム質体３を介在させると共に、該ゴム質体３の弾性力に対抗する方向に即ち下方向に往復杆２を押圧可能なように、前記ストッパー２２から上側をケース１の頂部の開口部１１からケース１外に突出させる。また往復杆２には、前記ストッパー２０とストッパー２２との間に中空の回転軸４を遊嵌して、往復杆２の往復運動に従って回転軸４が往復運動し得るように構成する。該回転軸４の上端には具象体である土星の模型５を取り付け、下端にはギヤ機構６の一側と成るウォームギヤ６０を形成している。ウォームギヤ６０に噛合する、ギヤ機構６の他側と成る案内溝６４，６５（図５）は、ケース１内に横設した仕切板６２の中心部に設けた開口部６３の内縁の対向２ヵ所に刻設されている。本実施例では、案内溝６５側によってウォームギヤ６０の山が案内される。符号６６の案内突起は、案内溝６４，６５の壁面の一側を形成するためのものであると同時に、山の先端が下方へ突出し且つ開口部６３方向に後退する形状とされている。また、案内溝６４，６５は開口部６３から案内突起６６へ向けて深く成るように形成されている。尚、ゴム質体３の上方には、中心部に開口部１８を有する仕切板１７が前記仕切板６２に平行して横設されている。開口部１８は、ゴム質体３の弾性力により上方へ押圧されるストッパー２０の底部に設けた鍔部２３を掛止して、ストッパー２０の上方への移動を阻止し得る直径とした。また符号６１はウォームギヤ６０の上端部であり、符号１０は模型５の挙動が見られるケース１の透明部である。
【００２４】
ケース１の上方へ突出している押圧用ボール２１を手のひらで下方へ押圧すると、ケース１内では往復杆２が軸方向下方へ移動するが、同時に往復杆２はこれとは逆の上方向へ弾性体であるゴム質体３により付勢されているため、往復杆２の上端の押圧用ボール２１を押圧したり止めたりすることによって、往復杆２はケース１内で往復運動を行なう。この往復杆２の回りに回転軸４が遊嵌されており、回転軸４は往復杆２と共にケース１内を往復運動する。一方で、回転軸４とケース１の一部である仕切板６２との間にはギヤ機構６が設けられている。即ち回転軸４の下端のウォームギヤ６０と、仕切板６２の開口部６３の対向２ヵ所に刻設された主として案内溝６５とである。このギヤ機構６は回転軸４の往復運動に伴ない回転軸４自体を回転させるが、ギヤ機構６は回転軸４が所定距離、即ちウォームギヤ６０の全長分の距離だけ移動するとウォームギヤ６０の上端部６１で噛合が解除される。これによって、押圧用ボール２１の一端を強く押圧するほど模型５が速く回転し、前記噛合が解除された後は回転軸４がフリーに成りこれまでの惰性で回転を続ける（図２を参照のこと）。本実施例では、この模型５の自由回転の時だけでなくギヤ機構６が動作して模型５が往復運動しつつ回転する時も、ケース１の透明部１０から見ることが出来る。尚、本実施例に於いては、押圧用ボール２１をケース１の上方へ突出させているが、これは往復杆２を押圧しやすくするための工夫である。また、回転軸４まわりがケース１で覆われている構成のため、回転中に回転軸４まわりに手を触れることが出来ず、回転状態が妨害される心配がない。
【００２５】
ギヤ機構６に付いて、図４及び図５から明かと成るが、本実施例ではウォームギヤ６０の巻の方向に従って、案内溝６４，６５の内、案内溝６５側がウォームギヤ６０の山と噛合する。案内溝６４，６５は単に左右対称に形成しただけである。図４は底面図であるが、仕切板６２の上面側に案内溝６４を形成すれば働くように成る。ギヤ機構６は上述したようにウォームギヤ６０の上端部６１で噛合が解除されるが、押圧用ボール２１が押されなく成りゴム質体３の弾性力によって回転軸４が上方へ移動し始める時にウォームギヤ６０の上端部６１の山が円滑に案内溝６５と噛合出来るように、案内溝６４，６５の間に案内突起６６が設けられているが、これは必須ではない。尚、本実施例の場合では、ギヤ機構６としてウォームギヤ６０が用いられているため、往復杆２を押す手を離すとゴム質体３の反発力によって回転軸４が先とは逆の方向に回転する。
【００２６】
次に、本発明の第２実施例を図６を用いて説明する。本実施例は、ケース１が筆記具の軸形状を呈し、不透明部１３と透明部１０とがあり、透明部１０は降りて来た人形５０が自由回転する場所に相当して設けられており、ケース１の先端部に筆記具の芯部である鉛筆芯７が取り付けられている例である。また人形５０自体が金属を成型したものであり、適度に重量があって弾み車の役目をも担っている。
【００２７】
筆記具の軸筒形状に形成されたケース１内に往復杆２を軸方向に往復運動可能に挿入する。往復杆２の中央より下側の部分はストッパー２０に圧入され、上端部は押圧用キャップ２４に圧入されている。また往復杆２が常に図６の上方向に付勢されるように、ケース１内の底部１２と前記ストッパー２０との間に弾性体であるコイルバネ３０を介在させると共に、該コイルバネ３０の弾性力に対抗する方向に即ち下方向に往復杆２を押圧可能なように、前記押圧用キャップ２４をケース１の頂部の開口部１１からケース１外に突出させる。尚、前記コイルバネ３０の上半分位には、ストッパー２０から下方に突出する往復杆２を挿入してある。また往復杆２には、前記ストッパー２０と押圧用キャップ２４との間に中空の回転軸４を遊嵌して、往復杆２の往復運動に従って回転軸４が往復運動し得るように構成する。該回転軸４の上端には具象体である人形５０を取り付け、下端にはギヤ機構６の一側と成る突起６７を形成している。ギヤ機構６に於いて当該突起６７に噛合するのは、ギヤ機構６の他側と成るネジ６８の内側に刻設された螺刻部６９であり、ネジ６８はケース１内に取り付けられる。
【００２８】
例えば、ケース１を人差し指から小指までの４本の指で握り、親指でケース１の上方へ突出している押圧用キャップ２４を下方へ押圧すると、ケース１内では往復杆２が軸方向下方へ移動するが、同時に往復杆２の回りには回転軸４が遊嵌されているため、回転軸４も下方へ移動する。この時、回転軸４の下端にはギヤ機構６の一側と成る突起６７が存り、該突起６７はケース１内のネジ６８の内側に刻設された螺刻部６９に噛合しているため、回転軸４は下方へ移動しつつ回転を始め、この結果人形５０も下方へ移動しつつ回転するが、この時点ではケース１の不透明部１３に位置するため、透明部１０からは見ることが出来ない。ところが、突起６７が更に下がって螺刻部６９を抜けると噛合が解除され、回転軸４がフリーに成ってこれまでの惰性で回転を続ける。この時人形５０は透明部１０まで降りて来ているため、透明部１０から高速に回転する人形５０を見ることが出来るのである。人形５０はまた、それ自体が金属を成型したものであり、適度に重量があって弾み車の役目をも担っているので、この惰性による自由回転運動は長続きするのである。次いで、押圧用キャップ２４を押圧するのを止めると、往復杆２は弾性体であるコイルバネ３０によって上方向へ付勢されているため、人形５０を逆回転させつつ上方初期位置に戻す。
【００２９】
本実施例では、押圧用キャップ２４を押すと、高速で長い間回転し続ける人形５０が透明部１０に現われるという、意外性の面白さがある。尚、筆記具の軸筒形状に形成されたケース１の先端部には筆記具の芯部である鉛筆芯７が取り付けられているため、これを以て筆記を行なうことが出来る。
【００３０】
次に、本発明の第３実施例を図７及び図８を用いて説明する。本実施例の特徴は、往復杆２が筆記具のボールペン芯７０そのものであり、押圧用キャップ２４を押すと、ボールペン芯７０がケース１の先端キャップ１５の先に開口した開口部１６から突出し、筆記が可能に成る点、この状態を掛止具８０が保持し、また解除出来る点にある。更に専用の弾み車４０が回転軸４に取り付けられているのも特徴のひとつである。
【００３１】
筆記具の軸筒形状に形成されたケース１内に往復杆２を軸方向に往復運動可能に挿入する。往復杆２は筆記具のボールペン芯７０そのものである。往復杆２の中央より下側の部分はストッパー２０に圧入され、上端部は、ケース１の頂部に取り付けた上キャップ８から上方に突出する押圧用キャップ２４を、頂部に具えた掛止具８０に圧入されている。また往復杆２が常に図７の上方向に付勢されるように、ケース１内の底部１９と前記ストッパー２０との間にコイルバネ３０を介在させる。底部１９の中心には開口部１８が存り、ここをボールペン芯７０が通過していが、該ボールペン芯７０の先端部は、ケース１の下部に取り付けられた先端キャップ１５内に納められている。また、往復杆２には、前記ストッパー２０と掛止具８０との間に中空の回転軸４を遊嵌し、往復杆２の往復運動に従って回転軸４が往復運動し得るように構成する。該回転軸４の上端には、具象体である人形５１を取り付け、下端にはギヤ機構６の一側と成るウォームギヤ６０を形成している。また中央部分には弾み車４０が設けられている。ケース１内に設けた仕切板６２の中心部に開口した開口部６３の内縁の対向２ヵ所には、上述の第１実施例で説明した、ギヤ機構６の一側と成るウォームギヤ６０に噛合する、ギヤ機構６の他側と成る案内溝６４，６５（図５）が刻設されている。本実施例では、案内溝６５側によりウォームギヤ６０の山が案内される。符号６６の案内突起は、案内溝６４，６５の壁面の一側を形成するためのものであると同時に、山の先端が下方へ突出し且つ開口部６３方向に後退する形状とされている。また案内溝６４，６５は開口部６３から案内突起６６へ向けて深く成るように形成されている。尚、ケース１内には、中心部に開口部１８を有する仕切板１７が前記仕切板６２に平行して横設されている。開口部１８は、コイルバネ３０の弾性力によって上方へ押圧されるストッパー２０の底部に設けた鍔部２３を掛止して、ストッパー２０の上方への移動を阻止し得る直径とした。符号６１は、ウォームギヤ６０の上端部であり、符号１４は、人形５１の挙動が見られる透明部１０のみを残してケース１を不透明にするために、ケース１に熱収縮により密着させたマスキングチューブである。
【００３２】
上キャップ８に関しては、図８で表わした押圧部８３付きのリング８２が図の左右方向にスライド可能に設けられている。リング８２には相対向する２ヵ所に切欠部８６が設けられており、押圧部８３の内側に取り付けられたゴム質体８４が上キャップ８の突当部８５に当たることによって、リング８２は図の右方向に付勢されている。符号８１は、押圧用キャップ２４の下部の掛止具８０の側面部に、前記リング８２の切欠部８６に位置合わせされて設けられると共に、下方に向けてテーパーが形成されたフックであり、押圧用キャップ２４が押されると、当該フック８１のテーパー部分が切欠部８６に当たってこれを押し退け、リング８２をゴム質体８４の弾性力に対抗して左方向へ移動させるが、該フック８１がリング８２を抜け終わると、ゴム質体８４の弾性力が作用してリング８２が右方へスライドし、押圧用キャップ２４が押されなく成った時に、コイルバネ３０によって掛止具８０が上昇しようとするのを阻止することに成る。次いで、押圧部８３を押すと、フック８１がリング８２の切欠部８６から抜け、コイルバネ３０の弾性力で回転軸２が上昇し、ボールペン芯７０の先端部は先端キャップ１５内に戻り、ギヤ機構６も初期位置に戻る。
【００３４】
本実施例は、具象体である人形５１が回転する玩具として用いられるのは勿論のこと、筆記具としての本格的なボールペンとして利用出来る点に特長がある。尚、筆記具をシャープペン等とすることも可能である。
【００３５】
尚、本発明は上述した実施例に限定されないから、例えば中空のケースの所要部位を透視可能に形成するという場合、ケースに直接窓を開口してもよい。またケースの形状はドーム形等々任意であり、具象体を複数個設けることや、各々をギヤ機構６の上下に配したり、前記押圧用ボール２１等の押圧する部位（必須ではないが）に具象体を用いたり、ギヤ機構６を回転軸と往復杆との間に設けるなども可能である。
【００３６】
【発明の効果】
以上、本発明は、所要部位が透視可能に形成された中空のケース内に往復杆を軸方向に往復運動可能に挿入し、且つ該往復杆が常に一方向に付勢されるようにケースと往復杆との間に弾性体を介在させると共に、該弾性体の弾性力に対抗する方向に往復杆を押圧可能に設け、該往復杆に中空の回転軸を往復杆回りに回転可能に遊嵌すると共に、前記往復杆の往復運動に従って回転軸が往復運動し得るように構成し、該回転軸に具象体を取り付け、回転軸の往復運動に伴ない回転軸自体が回転し得るように回転軸とケースとの間にギヤ機構を取り付けると共に、当該ギヤ機構は、前記回転軸が所定距離だけ移動すると噛合が解除されるように構成し、この解除位置で前記具象体が、前記ケースの透視可能に形成された部位に位置するように設定して成る。
【００３７】
このため往復杆の一端を押圧すると回転軸が回転し、而も前記噛合が解除された後は回転軸がフリーに成りこれまでの惰性で回転を続け、回転軸に取り付けられた具象体が慣性回転し、少なくてもこの時の具象体の回転運動を前記ケースの透視可能に形成された部位から見ることが出来る。
【００３８】
この結果、回転軸を指で捻って回転力を与えるなどという難しい動作を行なう必要がなく、回転軸を押すという単純で楽な動作で、回転軸をその軸方向に移動させ、これを軸回りの回転運動に変換させて回転軸に設けた具象体を回して遊ぶ玩具を提供することが出来た。
【図面の簡単な説明】
【図１】本発明の第１実施例の部分切欠斜視図である。
【図２】同実施例の動作状態説明図である。
【図３】同実施例の部分分解側面図である。
【図４】同実施例の仕切板６２の底面図である。
【図５】同実施例の図４の仕切板６２のＸ−Ｘ断面図である。
【図６】本発明の第２実施例の部分切欠側面図である。
【図７】本発明の第３実施例の部分切欠側面図である。
【図８】同実施例の部分平面図である。
【符号の説明】
１    ケース
１０  透明部
１１  開口部
１２  底部
１３  不透明部
１４  マスキングチューブ
１５  先端キャップ
１６  開口部
１７  仕切板
１８  開口部
１９  底部
２    往復杆
２０  ストッパー
２１  押圧用ボール
２２  ストッパー
２３  鍔部
２４  押圧用キャップ
３    ゴム質体
３０  コイルバネ
４    回転軸
４０  弾み車
５    模型
５０  人形
５１  人形
６    ギヤ機構
６０  ウォームギヤ
６１  上端部
６２  仕切板
６３  開口部
６４  案内溝
６５  案内溝
６６  案内突起
６７  突起
６８  ネジ
６９  螺刻部
７    鉛筆芯
７０  ボールペン芯
８    上キャップ
８０  掛止具
８１  フック
８２  リング
８３  押圧部
８４  ゴム質体
８５  突当部
８６  切欠部
【図１】
0003728681.tif 000002
【図２】
0003728681.tif 000003
【図３】
0003728681.tif 000004
【図４】
0003728681.tif 000005
【図５】
0003728681.tif 000006
【図６】
0003728681.tif 000007
【図７】
0003728681.tif 000008
【図８】
0003728681.tif 000009